【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
電気信号を周波数変調信号（以下、ＦＭ信号）に変換して送信するＦＭ変調装置であって、
電気信号を出力する信号源と、
前記信号源から出力される電気信号を２分岐する分岐部と、
入力信号の振幅変化を出力信号の周波数変化に変換する機能を有し、前記分岐部が２分岐して得られる第１の電気信号および第２の電気信号をそれぞれＦＭ信号に変換するＦＭ変調部とを備え、
前記ＦＭ変調部は、
前記第１の電気信号および前記第２の電気信号を、一方のＦＭ信号によって生じるｎ次高調波歪（ただし、ｎは２以上の任意の整数）と他方のＦＭ信号とが互いに相殺されるような２つのＦＭ変調信号に変換する、ＦＭ変調装置。
【請求項２】
前記ＦＭ変調部は、
入力電気信号が変化しない状態では所定周波数ｆ１の光を発振し、かつ入力電気信号の振幅変化に応じて発振周波数が変化する性質を有し、前記第１の電気信号を第１の光ＦＭ信号に変換して出力する第１のＦＭレーザと、
前記第１の光ＦＭ信号を導く第１の光導波部と、
入力電気信号が変化しない状態では所定周波数ｆ２の光を発振し、かつ入力電気信号の振幅変化に応じて発振周波数が変化する性質を有し、前記第２の電気信号を第２の光ＦＭ信号に変換して出力する第２のＦＭレーザと、
前記第２の光ＦＭ信号を導く第２の光導波部と、
所定周波数ｆｌ１の第１の局発光を出力する第１の局発光源と、
前記第１の局発光を導く第３の光導波部と、
相異なる周波数の２つ以上の光が入力された場合、各々の光の周波数の差の周波数においてビート成分を発生する性質を有し、前記第１の光ＦＭ信号と前記第１の局発光とによって、前記所定周波数ｆ１と前記所定周波数ｆｌ１との周波数差Δｆ１に相当する周波数においてビート成分を発生し、前記第２の光ＦＭ信号と前記第１の局発光とによって、前記所定周波数ｆ２と前記所定周波数ｆｌ１との周波数差Δｆ２に相当する周波数においてビート成分を発生し、これら２つのビート成分を第１および第２のＦＭ信号として出力する第１の光検波部とを含む、請求項１に記載のＦＭ変調装置。
【請求項３】
前記所定周波数ｆ１、前記所定周波数ｆ２および前記所定周波数ｆｌ１は、前記第１のＦＭ信号によって生じるｎ次高調波歪の周波数と前記第２のＦＭ信号の周波数とが互いに一致するように選ばれ、
前記第１のＦＭレーザ、前記第２のＦＭレーザおよび前記第１の局発光源の各出力は、前記第１のＦＭ信号によって生じるｎ次高調波歪の振幅と前記第２のＦＭ信号の振幅とが互いに一致するように設定され、
前記ＦＭ変調部は、
前記第１のＦＭ信号によって生じるｎ次高調波歪の周波数偏移と前記第２のＦＭ信号の周波数偏移とが互いに一致するように、前記第１の電気信号または前記第２の電気信号の振幅を調整するための振幅調整部と、
前記第１のＦＭ信号によって生じるｎ次高調波歪と前記第２のＦＭ信号とが互いに逆相関係となるように、前記第１のＦＭレーザ、前記第２のＦＭレーザおよび前記第１の局発光源のいずれかの発振位相を制御する位相制御部とをさらに含む、請求項２に記載のＦＭ変調装置。
【請求項４】
前記ＦＭ変調部は、
前記第１の光検波部からのＦＭ信号の、前記周波数差Δｆ２に相当する周波数成分の電力を測定する電力測定部をさらに含み、
前記位相制御部は、前記電力測定部の測定結果が最小となるように発振位相を制御する、請求項３に記載のＦＭ変調装置。
【請求項５】
前記ＦＭ変調部は、
入力信号の周波数変化を出力信号の振幅変化に変換する機能を有し、前記第１の光検波部からのＦＭ信号をＦＭ復調して出力するＦＭ復調部と、
前記ＦＭ復調部からの電気信号の雑音電力を測定する電力測定部とをさらに含み、
前記位相制御部は、前記電力測定部の測定結果が最小となるように発振位相を制御する、請求項３に記載のＦＭ変調装置。
【請求項６】
前記所定周波数ｆ１、前記所定周波数ｆ２および前記所定周波数ｆｌ１は、前記第１のＦＭ信号によって生じるｎ次高調波歪の周波数と前記第２のＦＭ信号の周波数とが互いに一致するように選ばれ、
前記第１のＦＭレーザ、前記第２のＦＭレーザおよび前記第１の局発光源の各出力は、前記第１のＦＭ信号によって生じるｎ次高調波歪の振幅と前記第２のＦＭ信号の振幅とが互いに一致するように設定され、
前記ＦＭ変調部は、
前記第１のＦＭ信号によって生じるｎ次高調波歪の周波数偏移と前記第２のＦＭ信号の周波数偏移とが互いに一致するように、前記第１の電気信号または前記第２の電気信号の振幅を調整するための振幅調整部と、
前記第１〜第３の光導波部のいずれかに設けられ、前記第１のＦＭ信号によって生じるｎ次高調波歪と前記第２のＦＭ信号とが互いに逆相関係となるように、当該光導波部を光信号が伝搬する際の伝搬遅延時間を調整する光遅延調整部とをさらに含む、請求項２に記載のＦＭ変調装置。
【請求項７】
前記ＦＭ変調部は、
前記第１の光検波部からのＦＭ信号の、前記周波数差Δｆ２に相当する周波数成分の電力を測定する電力測定部をさらに含み、
前記光遅延調整部は、前記電力測定部の測定結果が最小となるように伝搬遅延時間を調整する、請求項６に記載のＦＭ変調装置。
【請求項８】
前記ＦＭ変調部は、
入力信号の周波数変化を出力信号の振幅変化に変換する機能を有し、前記第１の光検波部からのＦＭ信号をＦＭ復調して出力するＦＭ復調部と、
前記ＦＭ復調部からの電気信号の雑音電力を測定する電力測定部とをさらに含み、
前記光遅延調整部は、前記電力測定部の測定結果が最小となるように伝搬遅延時間を調整する、請求項６に記載のＦＭ変調装置。
【請求項９】
前記ＦＭ変調部は、
入力電気信号が変化しない状態では所定周波数ｆ１の光を発振し、かつ入力電気信号の振幅変化に応じて発振周波数が変化する性質を有し、前記第１の電気信号を第１の光ＦＭ信号に変換して出力する第１のＦＭレーザと、
前記第１の光ＦＭ信号を導く第１の光導波部と、
入力電気信号が変化しない状態では所定周波数ｆ２の光を発振し、かつ入力電気信号の振幅変化に応じて発振周波数が変化する性質を有し、前記第２の電気信号を第２の光ＦＭ信号に変換して出力する第２のＦＭレーザと、
前記第２の光ＦＭ信号を導く第２の光導波部と、
所定周波数ｆｌ１の第１の局発光を出力する第１の局発光源と、
前記第１の局発光を導く第３の光導波部と、
所定周波数ｆｌ２の第２の局発光を出力する第２の局発光源と、
前記第２の局発光を導く第４の光導波部と、
相異なる周波数の２つ以上の光が入力された場合、各々の光の周波数の差の周波数においてビート成分を発生する性質を有し、前記第１の光ＦＭ信号と前記第１の局発光とによって、前記所定周波数ｆ１と前記所定周波数ｆｌ１との周波数差Δｆ１に相当する周波数においてビート成分を発生し、前記第２の光ＦＭ信号と前記第１の局発光とによって、前記所定周波数ｆ２と前記所定周波数ｆｌ１との周波数差Δｆ２に相当する周波数においてビート成分を発生し、これら２つのビート成分を第１および第２のＦＭ信号として出力する第１の光検波部とを含む、請求項１に記載のＦＭ変調装置。
【請求項１０】
前記所定周波数ｆ１、前記所定周波数ｆ２、前記所定周波数ｆｌ１および前記所定周波数ｆｌ２は、前記第１のＦＭ信号によって生じるｎ次高調波歪の周波数と前記第２のＦＭ信号の周波数とが互いに一致するように選ばれ、
前記第１のＦＭレーザ、前記第２のＦＭレーザ、前記第１の局発光源および前記第２の局発光源の各出力は、前記第１のＦＭ信号によって生じるｎ次高調波歪の振幅と前記第２のＦＭ信号の振幅とが互いに一致するように設定され、
前記ＦＭ変調部は、
前記第１のＦＭ信号によって生じるｎ次高調波歪の周波数偏移と前記第２のＦＭ信号の周波数偏移とが互いに一致するように、前記第１の電気信号または前記第２の電気信号の振幅を調整するための振幅調整部と、
前記第１のＦＭ信号によって生じるｎ次高調波歪と前記第２のＦＭ信号とが互いに逆相関係となるように、前記第１のＦＭレーザ、前記第２のＦＭレーザ、前記第１の局発光源および前記第２の局発光源のいずれかの発振位相を制御する位相制御部とをさらに含む、請求項９に記載のＦＭ変調装置。
【請求項１１】
前記ＦＭ変調部は、
前記第１の光検波部からのＦＭ信号の、前記周波数差Δｆ２に相当する周波数成分の電力を測定する電力測定部をさらに含み、
前記位相制御部は、前記電力測定部の測定結果が最小となるように発振位相を制御する、請求項１０に記載のＦＭ変調装置。
【請求項１２】
前記ＦＭ変調部は、
入力信号の周波数変化を出力信号の振幅変化に変換する機能を有し、前記第１の光検波部からのＦＭ信号をＦＭ復調して出力するＦＭ復調部と、
前記ＦＭ復調部からの電気信号の雑音電力を測定する電力測定部とをさらに含み、
前記位相制御部は、前記電力測定部の測定結果が最小となるように発振位相を制御する、請求項１０に記載のＦＭ変調装置。
【請求項１３】
前記所定周波数ｆ１、前記所定周波数ｆ２、前記所定周波数ｆｌ１および前記所定周波数ｆｌ２は、前記第１のＦＭ信号によって生じるｎ次高調波歪の周波数と前記第２のＦＭ信号の周波数とが互いに一致するように選ばれ、
前記第１のＦＭレーザ、前記第２のＦＭレーザ、前記第１の局発光源および前記第２の局発光源の各出力は、前記第１のＦＭ信号によって生じるｎ次高調波歪の振幅と前記第２のＦＭ信号の振幅とが互いに一致するように設定され、
前記ＦＭ変調部は、
前記第１のＦＭ信号によって生じるｎ次高調波歪の周波数偏移と前記第２のＦＭ信号の周波数偏移とが互いに一致するように、前記第１の電気信号または前記第２の電気信号の振幅を調整するための振幅調整部と、
前記第１〜第４の光導波部のいずれかに設けられ、前記第１のＦＭ信号によって生じるｎ次高調波歪と前記第２のＦＭ信号とが互いに逆相関係となるように、当該光導波部を光信号が伝搬する際の伝搬遅延時間を調整する光遅延調整部とをさらに含む、請求項９に記載のＦＭ変調装置。
【請求項１４】
前記ＦＭ変調部は、
前記第１の光検波部からのＦＭ信号の、前記周波数差Δｆ２に相当する周波数成分の電力を測定する電力測定部をさらに含み、
前記光遅延調整部は、前記電力測定部の測定結果が最小となるように伝搬遅延時間を調整する、請求項１３に記載のＦＭ変調装置。
【請求項１５】
前記ＦＭ変調部は、
入力信号の周波数変化を出力信号の振幅変化に変換する機能を有し、前記第１の光検波部からのＦＭ信号をＦＭ復調して出力するＦＭ復調部と、
前記ＦＭ復調部からの電気信号の雑音電力を測定する電力測定部とをさらに含み、
前記光遅延調整部は、前記電力測定部の測定結果が最小となるように伝搬遅延時間を調整する、請求項１３に記載のＦＭ変調装置。
【請求項１６】
前記ＦＭ変調部は、
入力電気信号が変化しない状態では所定周波数ｆ１の光を発振し、かつ入力電気信号の振幅変化に応じて発振周波数が変化する性質を有し、前記第１の電気信号を第１の光ＦＭ信号に変換して出力する第１のＦＭレーザと、
前記第１の光ＦＭ信号を導く第１の光導波部と、
入力電気信号が変化しない状態では所定周波数ｆ２の光を発振し、かつ入力電気信号の振幅変化に応じて発振周波数が変化する性質を有し、前記第２の電気信号を第２の光ＦＭ信号に変換して出力する第２のＦＭレーザと、
前記第２の光ＦＭ信号を導く第２の光導波部と、
所定周波数ｆｌ１の第１の局発光を出力する第１の局発光源と、
前記第１の局発光を導く第３の光導波部と、
所定周波数ｆｌ２の第２の局発光を出力する第２の局発光源と、
前記第２の局発光を導く第４の光導波部と、
相異なる周波数の２つ以上の光が入力された場合、各々の光の周波数の差の周波数においてビート成分を発生する性質を有し、前記第１の光ＦＭ信号と前記第１の局発光とによって、前記所定周波数ｆ１と前記所定周波数ｆｌ１との周波数差Δｆ１に相当する周波数においてビート成分を発生し、このビート成分を第１のＦＭ信号として出力する第１の光検波部と、
前記第１のＦＭ信号を導く第１の電気導波部と、
相異なる周波数の２つ以上の光が入力された場合、各々の光の周波数の差の周波数においてビート成分を発生する性質を有し、前記第２の光ＦＭ信号と前記第２の局発光とによって、前記所定周波数ｆ２と前記所定周波数ｆｌ１との周波数差Δｆ２に相当する周波数においてビート成分を発生し、このビート成分を第２のＦＭ信号として出力する第２の光検波部と、
前記第２のＦＭ信号を導く第２の電気導波部と、
前記第１のＦＭ信号と前記第２のＦＭ信号とを合波する合波部とを含む、請求項１に記載のＦＭ変調装置。
【請求項１７】
前記所定周波数ｆ１、前記所定周波数ｆ２、前記所定周波数ｆｌ１および前記所定周波数ｆｌ２は、前記第１のＦＭ信号によって生じるｎ次高調波歪の周波数と前記第２のＦＭ信号の周波数とが互いに一致するように選ばれ、
前記第１のＦＭレーザ、前記第２のＦＭレーザ、前記第１の局発光源および前記第２の局発光源の各出力は、前記第１のＦＭ信号によって生じるｎ次高調波歪の振幅と前記第２のＦＭ信号の振幅とが互いに一致するように設定され、
前記ＦＭ変調部は、
前記第１のＦＭ信号によって生じるｎ次高調波歪の周波数偏移と前記第２のＦＭ信号の周波数偏移とが互いに一致するように、前記第１の電気信号または前記第２の電気信号の振幅を調整するための振幅調整部と、
前記第１のＦＭ信号によって生じるｎ次高調波歪と前記第２のＦＭ信号とが互いに逆相関係となるように、前記第１のＦＭレーザ、前記第２のＦＭレーザ、前記第１の局発光源および前記第２の局発光源のいずれかの発振位相を制御する位相制御部とをさらに含む、請求項１６に記載のＦＭ変調装置。
【請求項１８】
前記ＦＭ変調部は、
前記合波部からのＦＭ信号の、前記周波数差Δｆ２に相当する周波数成分の電力を測定する電力測定部をさらに含み、
前記位相制御部は、前記電力測定部の測定結果が最小となるように発振位相を制御する、請求項１７に記載のＦＭ変調装置。
【請求項１９】
前記ＦＭ変調部は、
入力信号の周波数変化を出力信号の振幅変化に変換する機能を有し、前記合波部からのＦＭ信号をＦＭ復調して出力するＦＭ復調部と、
前記ＦＭ復調部からの電気信号の雑音電力を測定する電力測定部とをさらに含み、
前記位相制御部は、前記電力測定部の測定結果が最小となるように発振位相を制御する、請求項１７に記載のＦＭ変調装置。
【請求項２０】
前記所定周波数ｆ１、前記所定周波数ｆ２、前記所定周波数ｆｌ１および前記所定周波数ｆｌ２は、前記第１のＦＭ信号によって生じるｎ次高調波歪の周波数と前記第２のＦＭ信号の周波数とが互いに一致するように選ばれ、
前記第１のＦＭレーザ、前記第２のＦＭレーザ、前記第１の局発光源および前記第２の局発光源の各出力は、前記第１のＦＭ信号によって生じるｎ次高調波歪の振幅と前記第２のＦＭ信号の振幅とが互いに一致するように設定され、
前記ＦＭ変調部は、
前記第１のＦＭ信号によって生じるｎ次高調波歪の周波数偏移と前記第２のＦＭ信号の周波数偏移とが互いに一致するように、前記第１の電気信号または前記第２の電気信号の振幅を調整するための振幅調整部と、
前記第１〜第４の光導波部のいずれかに設けられ、前記第１のＦＭ信号によって生じるｎ次高調波歪と前記第２のＦＭ信号とが互いに逆相関係となるように、当該光導波部を光信号が伝搬する際の伝搬遅延時間を調整する光遅延調整部とをさらに含む、請求項１６に記載のＦＭ変調装置。
【請求項２１】
前記ＦＭ変調部は、
前記合波部からのＦＭ信号の、前記周波数差Δｆ２に相当する周波数成分の電力を測定する電力測定部をさらに含み、
前記光遅延調整部は、前記電力測定部の測定結果が最小となるように伝搬遅延時間を調整する、請求項２０に記載のＦＭ変調装置。
【請求項２２】
前記ＦＭ変調部は、
入力信号の周波数変化を出力信号の振幅変化に変換する機能を有し、前記合波部からのＦＭ信号をＦＭ復調して出力するＦＭ復調部と、
前記ＦＭ復調部からの電気信号の雑音電力を測定する電力測定部とをさらに含み、
前記光遅延調整部は、前記電力測定部の測定結果が最小となるように伝搬遅延時間を調整する、請求項２０に記載のＦＭ変調装置。
【請求項２３】
前記所定周波数ｆ１、前記所定周波数ｆ２、前記所定周波数ｆｌ１および前記所定周波数ｆｌ２は、前記第１のＦＭ信号によって生じるｎ次高調波歪の周波数と前記第２のＦＭ信号の周波数とが互いに一致するように選ばれ、
前記第１のＦＭレーザ、前記第２のＦＭレーザ、前記第１の局発光源および前記第２の局発光源の各出力は、前記第１のＦＭ信号によって生じるｎ次高調波歪の振幅と前記第２のＦＭ信号の振幅とが互いに一致するように設定され、
前記ＦＭ変調部は、
前記第１のＦＭ信号によって生じるｎ次高調波歪の周波数偏移と前記第２のＦＭ信号の周波数偏移とが互いに一致するように、前記第１の電気信号または前記第２の電気信号の振幅を調整するための振幅調整部と、
前記第１または第２の電気導波部に設けられ、前記第１のＦＭ信号によって生じるｎ次高調波歪と前記第２のＦＭ信号とが互いに逆相関係となるように、当該電気導波部を電気信号が伝搬する際の伝搬遅延時間を調整する電気遅延調整部とをさらに含む、請求項１６に記載のＦＭ変調装置。
【請求項２４】
前記ＦＭ変調部は、
前記合波部からのＦＭ信号の、前記周波数差Δｆ２に相当する周波数成分の電力を測定する電力測定部をさらに含み、
前記電気遅延調整部は、前記電力測定部の測定結果が最小となるように伝搬遅延時間を調整する、請求項２３に記載のＦＭ変調装置。
【請求項２５】
前記ＦＭ変調部は、
入力信号の周波数変化を出力信号の振幅変化に変換する機能を有し、前記合波部からのＦＭ信号をＦＭ復調して出力するＦＭ復調部と、
前記ＦＭ復調部からの電気信号の雑音電力を測定する電力測定部とをさらに含み、
前記電気遅延調整部は、前記電力測定部の測定結果が最小となるように伝搬遅延時間を調整する、請求項２３に記載のＦＭ変調装置。
【手続補正２】
【補正対象書類名】明細書
【補正対象項目名】０００７
【補正方法】変更
【補正の内容】
【０００７】
【課題を解決するための手段および発明の効果】
第１の発明は、電気信号を周波数変調信号（以下、ＦＭ信号）に変換して送信するＦＭ変調装置であって、
電気信号を出力する信号源と、
信号源から出力される電気信号を２分岐する分岐部と、
入力信号の振幅変化を出力信号の周波数変化に変換する機能を有し、分岐部が２分岐して得られる第１の電気信号および第２の電気信号をそれぞれＦＭ信号に変換するＦＭ変調部とを備え、
ＦＭ変調部は、
第１の電気信号および第２の電気信号を、一方のＦＭ信号によって生じるｎ次高調波歪（ただし、ｎは２以上の任意の整数）と他方のＦＭ信号とが互いに相殺されるような２つのＦＭ変調信号に変換する。
【手続補正３】
【補正対象書類名】明細書
【補正対象項目名】０００９
【補正方法】変更
【補正の内容】
【０００９】
第２の発明は、第１の発明において、
ＦＭ変調部は、
入力電気信号が変化しない状態では所定周波数ｆ１の光を発振し、かつ入力電気信号の振幅変化に応じて発振周波数が変化する性質を有し、第１の電気信号を第１の光ＦＭ信号に変換して出力する第１のＦＭレーザと、
第１の光ＦＭ信号を導く第１の光導波部と、
入力電気信号が変化しない状態では所定周波数ｆ２の光を発振し、かつ入力電気信号の振幅変化に応じて発振周波数が変化する性質を有し、第２の電気信号を第２の光ＦＭ信号に変換して出力する第２のＦＭレーザと、
第２の光ＦＭ信号を導く第２の光導波部と、
所定周波数ｆｌ１の第１の局発光を出力する第１の局発光源と、
第１の局発光を導く第３の光導波部と、
相異なる周波数の２つ以上の光が入力された場合、各々の光の周波数の差の周波数においてビート成分を発生する性質を有し、第１の光ＦＭ信号と第１の局発光とによって、所定周波数ｆ１と所定周波数ｆｌ１との周波数差Δｆ１に相当する周波数においてビート成分を発生し、第２の光ＦＭ信号と第１の局発光とによって、所定周波数ｆ２と所定周波数ｆｌ１との周波数差Δｆ２に相当する周波数においてビート成分を発生し、これら２つのビート成分を第１および第２のＦＭ信号として出力する第１の光検波部とを含んでいる。
【手続補正４】
【補正対象書類名】明細書
【補正対象項目名】００２１
【補正方法】変更
【補正の内容】
【００２１】
第９の発明は、第１の発明において、
ＦＭ変調部は、
入力電気信号が変化しない状態では所定周波数ｆ１の光を発振し、かつ入力電気信号の振幅変化に応じて発振周波数が変化する性質を有し、第１の電気信号を第１の光ＦＭ信号に変換して出力する第１のＦＭレーザと、
第１の光ＦＭ信号を導く第１の光導波部と、
入力電気信号が変化しない状態では所定周波数ｆ２の光を発振し、かつ入力電気信号の振幅変化に応じて発振周波数が変化する性質を有し、第２の電気信号を第２の光ＦＭ信号に変換して出力する第２のＦＭレーザと、
第２の光ＦＭ信号を導く第２の光導波部と、
所定周波数ｆｌ１の第１の局発光を出力する第１の局発光源と、
第１の局発光を導く第３の光導波部と、
所定周波数ｆｌ２の第２の局発光を出力する第２の局発光源と、
第２の局発光を導く第４の光導波部と、
相異なる周波数の２つ以上の光が入力された場合、各々の光の周波数の差の周波数においてビート成分を発生する性質を有し、第１の光ＦＭ信号と第１の局発光とによって、所定周波数ｆ１と所定周波数ｆｌ１との周波数差Δｆ１に相当する周波数においてビート成分を発生し、第２の光ＦＭ信号と第１の局発光とによって、所定周波数ｆ２と所定周波数ｆｌ１との周波数差Δｆ２に相当する周波数においてビート成分を発生し、これら２つのビート成分を第１および第２のＦＭ信号として出力する第１の光検波部とを含んでいる。
【手続補正５】
【補正対象書類名】明細書
【補正対象項目名】００３３
【補正方法】変更
【補正の内容】
【００３３】
第１６の発明は、第１の発明において、
ＦＭ変調部は、
入力電気信号が変化しない状態では所定周波数ｆ１の光を発振し、かつ入力電気信号の振幅変化に応じて発振周波数が変化する性質を有し、第１の電気信号を第１の光ＦＭ信号に変換して出力する第１のＦＭレーザと、
第１の光ＦＭ信号を導く第１の光導波部と、
入力電気信号が変化しない状態では所定周波数ｆ２の光を発振し、かつ入力電気信号の振幅変化に応じて発振周波数が変化する性質を有し、第２の電気信号を第２の光ＦＭ信号に変換して出力する第２のＦＭレーザと、
第２の光ＦＭ信号を導く第２の光導波部と、
所定周波数ｆｌ１の第１の局発光を出力する第１の局発光源と、
第１の局発光を導く第３の光導波部と、
所定周波数ｆｌ２の第２の局発光を出力する第２の局発光源と、
第２の局発光を導く第４の光導波部と、
相異なる周波数の２つ以上の光が入力された場合、各々の光の周波数の差の周波数においてビート成分を発生する性質を有し、第１の光ＦＭ信号と第１の局発光とによって、所定周波数ｆ１と所定周波数ｆｌ１との周波数差Δｆ１に相当する周波数においてビート成分を発生し、このビート成分を第１のＦＭ信号として出力する第１の光検波部と、
第１のＦＭ信号を導く第１の電気導波部と、
相異なる周波数の２つ以上の光が入力された場合、各々の光の周波数の差の周波数においてビート成分を発生する性質を有し、第２の光ＦＭ信号と第２の局発光とによって、所定周波数ｆ２と所定周波数ｆｌ１との周波数差Δｆ２に相当する周波数においてビート成分を発生し、このビート成分を第２のＦＭ信号として出力する第２の光検波部と、
第２のＦＭ信号を導く第２の電気導波部と、
第１のＦＭ信号と第２のＦＭ信号とを合波する合波部とを含んでいる。
【手続補正６】
【補正対象書類名】明細書
【補正対象項目名】００６０
【補正方法】変更
【補正の内容】
【００６０】
第１の光検波部２０９は、相異なる周波数の２つ以上の光が入力された場合、各々の光の周波数の差の周波数においてビート成分を発生する性質を有し（この性質を利用した検波動作を光ヘテロダイン検波と呼ぶ）、第１の光ＦＭ信号と第１の局発光とによって、所定周波数ｆ１と所定周波数ｆｌ１との周波数差Δｆ１に相当する周波数においてビート成分を発生し、第２の光ＦＭ信号と第１の局発光とによって、所定周波数ｆ２と所定周波数ｆｌ１との周波数差Δｆ２に相当する周波数においてビート成分を発生し、これら２つのビート成分を第１および第２のＦＭ信号として出力する。
【手続補正７】
【補正対象書類名】明細書
【補正対象項目名】００７１
【補正方法】変更
【補正の内容】
【００７１】
第１の光検波部３０９は、相異なる周波数の２つ以上の光が入力された場合、各々の光の周波数の差の周波数においてビート成分を発生する性質を有し（この性質を利用した検波動作を光ヘテロダイン検波と呼ぶ）、第１の光ＦＭ信号と第１の局発光とによって、所定周波数ｆ１と所定周波数ｆｌ１との周波数差Δｆ１に相当する周波数においてビート成分を発生し、第２の光ＦＭ信号と第２の局発光とによって、所定周波数ｆ２と所定周波数ｆｌ２との周波数差Δｆ２に相当する周波数においてビート成分を発生し、これら２つのビート成分を第１および第２のＦＭ信号として出力する。
【手続補正８】
【補正対象書類名】明細書
【補正対象項目名】００８２
【補正方法】変更
【補正の内容】
【００８２】
第１の光検波部４０９は、相異なる周波数の２つ以上の光が入力された場合、各々の光の周波数の差の周波数においてビート成分を発生する性質を有し（この性質を利用した検波動作を光ヘテロダイン検波と呼ぶ）、第１の光ＦＭ信号と第１の局発光とによって、所定周波数ｆ１と所定周波数ｆｌ１との周波数差Δｆ１に相当する周波数においてビート成分を発生し、このビート成分を第１のＦＭ信号として出力する。第１の電気導波部４１５は、第１のＦＭ信号を導く。第２の光検波部４１６は、相異なる周波数の２つ以上の光が入力された場合、各々の光の周波数の差の周波数においてビート成分を発生する性質を有し、第２の光ＦＭ信号と第２の局発光とによって、所定周波数ｆ２と所定周波数ｆｌ２との周波数差Δｆ２に相当する周波数においてビート成分を発生し、このビート成分を第２のＦＭ信号として出力する。第２の電気導波部４１７は、第２のＦＭ信号を導く。合波部４１８は、第１のＦＭ信号と第２のＦＭ信号とを合波する。
【手続補正９】
【補正対象書類名】明細書
【補正対象項目名】００９３
【補正方法】変更
【補正の内容】
【００９３】
第１の光検波部５０９は、相異なる周波数の２つ以上の光が入力された場合、各々の光の周波数の差の周波数においてビート成分を発生する性質を有し（この性質を利用した検波動作を光ヘテロダイン検波と呼ぶ）、第１の光ＦＭ信号と第１の局発光とによって、所定周波数ｆ１と所定周波数ｆｌ１との周波数差Δｆ１に相当する周波数においてビート成分を発生し、このビート成分を第１のＦＭ信号として出力する。第１の電気導波部５１５は、第１のＦＭ信号を導く。第２の光検波部５１６は、相異なる周波数の２つ以上の光が入力された場合、各々の光の周波数の差の周波数においてビート成分を発生する性質を有し、第２の光ＦＭ信号と第２の局発光とによって、所定周波数ｆ２と所定周波数ｆｌ２との周波数差Δｆ２に相当する周波数においてビート成分を発生し、このビート成分を第２のＦＭ信号として出力する。第２の電気導波部５１７は、第２のＦＭ信号を導く。合波部５１８は、第１のＦＭ信号と第２のＦＭ信号とを合波する。
【手続補正１０】
【補正対象書類名】明細書
【補正対象項目名】０１０４
【補正方法】変更
【補正の内容】
【０１０４】
第１の光検波部６０９は、相異なる周波数の２つ以上の光が入力された場合、各々の光の周波数の差の周波数においてビート成分を発生する性質を有し（この性質を利用した検波動作を光ヘテロダイン検波と呼ぶ）、第１の光ＦＭ信号と第１の局発光とによって、所定周波数ｆ１と所定周波数ｆｌ１との周波数差Δｆ１に相当する周波数においてビート成分を発生し、このビート成分を第１のＦＭ信号として出力する。第１の電気導波部６１５は、第１のＦＭ信号を導く。第２の光検波部６１６は、相異なる周波数の２つ以上の光が入力された場合、各々の光の周波数の差の周波数においてビート成分を発生する性質を有し、第２の光ＦＭ信号と第２の局発光とによって、所定周波数ｆ２と所定周波数ｆｌ２との周波数差Δｆ２に相当する周波数においてビート成分を発生し、このビート成分を第２のＦＭ信号として出力する。第２の電気導波部６１７は、第２のＦＭ信号を導く。合波部６１８は、第１のＦＭ信号と第２のＦＭ信号とを合波する。
【手続補正１１】
【補正対象書類名】明細書
【補正対象項目名】０１１５
【補正方法】変更
【補正の内容】
【０１１５】
第１の光検波部７０９は、相異なる周波数の２つ以上の光が入力された場合、各々の光の周波数の差の周波数においてビート成分を発生する性質を有し（この性質を利用した検波動作を光ヘテロダイン検波と呼ぶ）、第１の光ＦＭ信号と第１の局発光とによって、所定周波数ｆ１と所定周波数ｆｌ１との周波数差Δｆ１に相当する周波数においてビート成分を発生し、このビート成分を第１のＦＭ信号として出力する。第１の電気導波部７１５は、第１のＦＭ信号を導く。第２の光検波部７１６は、相異なる周波数の２つ以上の光が入力された場合、各々の光の周波数の差の周波数においてビート成分を発生する性質を有し、第２の光ＦＭ信号と第２の局発光とによって、所定周波数ｆ２と所定周波数ｆｌ２との周波数差Δｆ２に相当する周波数においてビート成分を発生し、このビート成分を第２のＦＭ信号として出力する。第２の電気導波部７１７は、第２のＦＭ信号を導く。合波部７１８は、第１のＦＭ信号と第２のＦＭ信号とを合波する。